(57)【要約】【課題】  ゴルフプレーヤやキャディが、立てて置かれた状態のキャディバッグをスムーズに把持して吊下げできるようにしたキャディバッグ用ハンドルを提供することにある。【解決手段】  キャディバッグBの外側面に取り付けられる取付部４，５と、使用時において手によって握り締められるグリップ部６とを備えたキャディバッグ用ハンドル１であって、当該ハンドル１の使用時において手の人指指が常時当接する位置から小指が常時当接する位置までが傾斜しており、当該傾斜がグリップ部６の内側面９とキャディバッグBの外側面８との成す角度が３０度を中心として前後１０度の範囲内のいずれかの角度になるように設定されていることを特徴とするものである。【選択図】    図１
2006230562.tif 000002
【特許請求の範囲】
【請求項１】
キャディバッグの外側面に取り付けられる取付部と、使用時において手によって握り締められるグリップ部とを備えたキャディバッグ用ハンドルであって、
当該ハンドルの使用時において手の人差指が常時当接する位置から小指が常時当接する位置までが傾斜しており、当該傾斜がグリップ部の内側面とキャディバッグの外側面との成す角度が３０度を中心として前後１０度の範囲内のいずれかの角度になるように設定されていることを特徴とするキャディバッグ用ハンドル。
【請求項２】
キャディバッグの外側面に取り付けられる取付部と、使用時において手によって握り締められるグリップ部とを備えたキャディバッグ用ハンドルであって、
当該ハンドルの使用時において手の人差指が常時当接する位置から小指が常時当接する位置までが傾斜しており、当該傾斜がグリップ部の外側面とキャディバッグの外側面との成す角度が３５度から８０度の範囲内のいずれかの角度になるように設定されていることを特徴とするキャディバッグ用ハンドル。
【請求項３】
キャディバッグの外側面に取り付けられる取付部と、使用時において手によって握り締められるグリップ部とを備えたキャディバッグ用ハンドルであって、
当該ハンドルの使用時において手の人差指が常時当接する位置から小指が常時当接する位置までが傾斜しており、当該傾斜がグリップ部の内側面とキャディバッグの外側面との成す角度が３０度を中心として前後１０度の範囲内のいずれかの角度になるように設定され、且つ、前記傾斜がグリップ部の外側面とキャディバッグの外側面との成す角度が３５度から８０度の範囲内のいずれかの角度になるように設定されていることを特徴とするキャディバッグ用ハンドル。
【請求項４】
グリップ部の外側面には、手の小指丘（小指のつけ根から手首にかけての間）に当接してキャディバッグの縦振れを抑制するための凸部が形成されていることを特徴とする請求項１乃至請求項３の何れか１項に記載のキャディバッグ用ハンドル。
【請求項５】
グリップ部の内側面が、上端側から下端側へ向けて直線状、又はなだらかな曲面で形成されていることを特徴とする請求項１乃至請求項４の何れか１項に記載のキャディバッグ用ハンドル。
【請求項６】
グリップ部の内側面には、手の親指を除く四指が位置決めされる凹凸が形成されていることを特徴とする請求項１乃至請求項５の何れか１項に記載のキャディバッグ用ハンドル。
【請求項７】
グリップ部は、上端側から下端側へ向けて把持断面積が拡大する形状であることを特徴とする請求項１乃至請求項６の何れか１項に記載のキャディバッグ用ハンドル。
【発明の詳細な説明】
【技術分野】
【０００１】
本発明は、キャディバッグ用ハンドルに関するものである。
【背景技術】
【０００２】
図２３は、特許文献１に記載のキャディバッグ用ハンドルをゴルフプレーヤやキャディが手で把持した状態の側面図を示す。該キャディバッグ用ハンドル１００は両端が取付部１０１になって、キャディバッグＢの外側面に螺子等によって取り付けられると共に、該各取付部１０１，１０１に連設した立上り部１０２，１０２と、両立上り部１０２，１０２の間に設けられたグリップ部１０３とから構成されている。同図示のように、ゴルフプレーヤやキャディは前記グリップ部１０３を把持して、キャディバッグを吊下げることができるものである。
【０００３】
【特許文献１】実用新案登録第３００６８５２号
【発明の開示】
【発明が解決しようとする課題】
【０００４】
ところで、従来技術のキャディバッグ用ハンドル１００においては、以下のような問題があった。即ち、図２４に示すように、立てて置かれた状態のキャディバッグＢのキャディバッグ用ハンドル１００を、同図２４に示すように、ゴルフプレーヤやキャディが手Ｈで把持して吊下げる際、ゴルフプレーヤやキャディの肘Ｘを略直角に曲げ、且つ、腰を曲げながら手Ｈでキャディバッグ用ハンドル１００のグリップ部１０３を把持しなければならないか、又は、図２５に示すように、腕の手首Ｙを大きく曲げながら前記グリップ部１０３を把持しなければならないため、ゴルフプレーヤやキャディは無理な姿勢を採らなければ、キャディバッグ用ハンドル１００を把持してキャディバッグＢを吊下げることができなかった。このため、ゴルフプレーヤやキャディは、立てて置かれた状態のキャディバッグＢのキャディバッグ用ハンドル１００をスムーズに把持することができないという問題があった。
【０００５】
ところで、一般に、キャディバッグＢについては、ゴルフクラブのクラブヘッドの位置する側に重心が位置するため、図２６に示すように、ゴルフプレーヤやキャディが該グリップ部１０３を把持して吊下げた場合、キャディバッグＢは、当該重心に作用するキャディバッグＢの自重やゴルフクラブの荷重に基づくモーメントによって、図２６中、矢示方向の縦振れを起こし易い。
【０００６】
しかし、前記グリップ部１０３はキャディバッグＢの外側面に対して約１０度前後傾斜しているが、図２６に示すように、ゴルフプレーヤやキャディが該グリップ部１０３を把持して吊下げた場合、同図２６に示すように、キャディバッグＢは地面に対して略水平になる。このため、従来のキャディバッグＢにおいては、前記モーメントによって縦方向へ大きく振れ易いという問題がある。その結果、図２４，又は図２５に示すように、垂直に立てて置かれたキャディバッグのキャディバッグ用ハンドルを把持して同図に示すように吊下げた場合、その際の反動によって、キャディバッグＢは大きく縦振れを起こして、ゴルフプレーヤやキャディの姿勢が安定しないという問題があった。又、ゴルフプレーヤやキャディがキャディバッグを把持して歩行する場合、歩行に合わせて縦振れが増幅し、歩行がし難い場合があるという問題があった。
【０００７】
本発明は、前述の従来技術の問題点に鑑みてなされたもので、その目的は、ゴルフプレーヤやキャディが、立てて置かれた状態のキャディバッグをスムーズに把持して吊下げできるようにし、しかも、キャディバッグの縦振れを抑制できるようにしたキャディバッグ用ハンドルを提供することにある。
【課題を解決するための手段】
【０００８】
請求項１に記載の発明は、キャディバッグの外側面に取り付けられる取付部と、使用時において手によって握り締められるグリップ部とを備えたキャディバッグ用ハンドルであって、当該ハンドルの使用時において手の人差指が常時当接する位置から小指が常時当接する位置までが傾斜しており、当該傾斜がグリップ部の内側面とキャディバッグの外側面との成す角度が３０度を中心として前後１０度の範囲内のいずれかの角度になるように設定されていることを特徴とするものである。
【０００９】
請求項２に記載の発明は、キャディバッグの外側面に取り付けられる取付部と、使用時において手によって握り締められるグリップ部とを備えたキャディバッグ用ハンドルであって、当該ハンドルの使用時において手の人差指が常時当接する位置から小指が常時当接する位置までが傾斜しており、当該傾斜がグリップ部の外側面とキャディバッグの外側面との成す角度が３５度から８０度の範囲内のいずれかの角度になるように設定されていることを特徴とするものである。
【００１０】
請求項３に記載の発明は、キャディバッグの外側面に取り付けられる取付部と、使用時において手によって握り締められるグリップ部とを備えたキャディバッグ用ハンドルであって、当該ハンドルの使用時において手の人差指が常時当接する位置から小指が常時当接する位置までが傾斜しており、当該傾斜がグリップ部の内側面とキャディバッグの外側面との成す角度が３０度を中心として前後１０度の範囲内のいずれかの角度になるように設定され、且つ、前記傾斜がグリップ部の外側面とキャディバッグの外側面との成す角度が３５度から８０度の範囲内のいずれかの角度になるように設定されていることを特徴とするものである。
【００１１】
請求項４に記載の発明は、請求項１乃至請求項３の何れか１項に記載の発明において、グリップ部の外側面には、手の小指丘（小指のつけ根から手首にかけての間）に当接してキャディバッグの縦振れを抑制するための凸部が形成されていることを特徴とするものである。
【００１２】
請求項５に記載の発明は、請求項１乃至請求項４の何れか１項に記載の発明において、グリップ部の内側面が、上端側から下端側へ向けて直線状、又はなだらかな曲面で形成されていることを特徴とするものである。
【００１３】
請求項６に記載の発明において、請求項１乃至請求項５の何れか１項に記載の発明において、グリップ部の内側面には、手の親指を除く四指が位置決めされる凹凸が形成されていることを特徴とするものである。
【００１４】
請求項７に記載の発明は、請求項１乃至請求項６の何れか１項に記載の発明において、グリップ部は、上端側から下端側へ向けて把持断面積が拡大する形状であることを特徴とするものである。
【発明の効果】
【００１５】
請求項１に記載の発明によれば、グリップ部の内側面がキャディバッグの外側面に対して、３０度を中心にして前後１０度の範囲内に収まるように形成されているため、ゴルフプレーヤやキャディは、立てて置かれた状態のキャディバッグのキャディバッグ用ハンドルを腕の肘を曲げたり、腰を曲げることなく、更には、手首を大きく曲げることなく、容易に、且つ、自然に把持することができる。又、キャディバッグに作用するモーメントが小さくなって、該キャディバッグの縦振れを抑制できる。
【００１６】
請求項２に記載の発明によれば、グリップ部の外側面がキャディバッグの外側面に対して、３５度乃至８０度の範囲内に収まるように形成されているため、ゴルフプレーヤやキャディは、立てて置かれた状態のキャディバッグのキャディバッグ用ハンドルを腕の肘を曲げたり、腰を曲げることなく、更には、手首を大きく曲げることなく、且つ、手首を曲げることなく、容易に、且つ、自然に把持することができる。又、キャディバッグに作用するモーメントが小さくなって、該キャディバッグの縦振れを抑制できる。
【００１７】
請求項３に記載の発明によれば、グリップ部の内側面がキャディバッグの外側面に対して、３０度を中心にして前後１０度の範囲内に収まるように形成され、且つ、グリップ部の外側面がキャディバッグの外側面に対して、３５度乃至８０度の範囲内に収まるように形成されているため、ゴルフプレーヤやキャディは、立てて置かれた状態のキャディバッグのキャディバッグ用ハンドルを腕の肘を曲げたり、腰を曲げることなく、更には、手首を大きく曲げることなく、容易に、且つ、一層自然に把持することができる。又、キャディバッグに作用するモーメントが小さくなって、該キャディバッグの縦振れを一層効果的に抑制できる。
【００１８】
請求項４に記載の発明によれば、請求項１乃至請求項３の何れか１項に記載の発明の有する効果を奏する上に、手の小指丘がグリップ部の凸部を下方へ押し圧することにより、グリップ部を強固に把持していなくてもキャディバッグの縦振れを抑制することができる。
【００１９】
請求項５に記載の発明によれば、請求項１乃至請求項４の何れか１項に記載の発明が有する効果を奏する上に、キャディバッグ用ハンドルの内側面は、上端側から下端側へ向けて直線状、又は、なだらかな曲線状に伸びる面で形成されたため、キャディバッグ用ハンドルを把持した際に、手の親指を除く他の四指同士の間には窮屈感がな
い。
【００２０】
請求項６に記載の発明によれば、請求項１乃至請求項５の何れか１項に記載の発明が有する効果を奏する上に、キャディバッグ用ハンドルを把持した際に、手の親指を除く他の四指の位置決めが確固としてなされ、手によるハンドルの把持感に優れたものとなる。
【００２１】
請求項７に記載の発明によれば、請求項１乃至請求項６の何れか１項に記載の発明が有する効果を奏する上に、キャディバッグ用ハンドルが上端側から下端側へ向けて拡大する形状のため、手とキャディバッグ用ハンドルとの間に隙間が生じ難い。当該隙間は、キャディバッグ用ハンドルを把持して吊下げた場合に、縦振れの原因となるものであるが、請求項５に記載の発明によれば、このような隙間が生じ難いないため、キャディバッグを把持して吊下げた際に、ハンドルを強固に把持していなくても、縦振れを抑制できる。
【発明を実施するための最良の形態】
【００２２】
図１乃至図１４は第１実施形態を示す。図1はキャディバッグ用ハンドル１がキャディバッグＢに取付けられた状態の側面図を示し、図２はキャディバッグ用ハンドル１がキャディバッグＢに取付けられた状態の縦断面図を示す。図３は図２のＰ―Ｐ線断面図を示し、図４は図２のＱ―Ｑ線断面図を示す。図５は、キャディバッグ用ハンドル１が変形する状態を示し、図６乃至図１４は作用を説明するための図である。ここで、図６に示すように、キャディバッグＢ内にゴルフクラブＫを収容してキャディバッグＢを垂直に立てて置いた場合、クラブヘッドの位置する側が上側となるため、クラブヘッドの位置する側のキャディバッグＢの部位を上側とし、その反対側を下側とする。
【００２３】
図１，図２に示すように、キャディバッグ用ハンドル１の上端側２と下端側３には取付部４，５が設けられ、これら二つの取付部４，５の間の特に上部がグリップ部６になっている。キャディバッグ用ハンドル１は、取付部４，５によってキャディバッグＢの外側面８に螺子止め等される。又、図１に示すように、グリップ部６は、ゴルフプレーヤやキャディの手Hによって把持される部位である。
【００２４】
図２に示すように、キャディバッグ用ハンドル１は、内側面９と外側面１０と左右の横側面１１と後側面１２によって囲まれた形状である。
【００２５】
グリップ部６の内側面９は、キャディバッグＢの外側面８に対して３０度を中心にして前後１０度の範囲内の何れか角度に形成されるものであり、特に、本実施形態では約３０度に形成されている。
【００２６】
又、グリップ部６の外側面１０は、キャディバッグＢの外側面８に対して略３５度乃至８０度の範囲内の何れかの角度に形成されるものであり、特に、本実施形態では約５５度に形成されている。
【００２７】
前記グリップ部６の内側面９、又は外側面１０が、キャディバッグＢの外側面８に対して前述の角度を成す範囲内のいずれかの角度に形成されることにより、図２に示すように、グリップ部６を横方向から観たグリップ部６の横側面１１の形状は、キャディバッグ用ハンドル１の上端側１３から後端側１４へ進むに従って、その横断面積、即ち、把持断面積が徐々に拡大するように略三角形状になっている。図３はグリップ部６の上端側１３の断面図であり、図４はグリップ部６の下端側１４の断面図であって、図４に示す、グリップ部６の下端側１４の断面形状が、図３に示す、グリップ部６の上端側１３の断面形状よりも拡大していることを示す。
【００２８】
又、前記グリップ部６は、先端側において６．４cm2以上の断面積の多角形で、後端側において７．２cm2以上の断面積の多角形に形成することができる。尚、このように、グリップ部６の断面形状を多角形にした場合、角部に丸みを設けることにより、手Ｈとの当たりを滑らかにしてもよい。
【００２９】
グリップ部６の断面形状、例えば、図３に示すように、図２のP―P線断面形状，又は、図４に示すように、図２のQ―Q線断面形状は、該グリップ部６の内側面９において幅方向（矢示方向）に平坦であって、外側面１０において弧状で、且つ、縦方向には縦長の形状に形成することができる。グリップ部６の断面形状をこのような略卵形に形成することにより、手Hの親指を除く他の四指は内側面９をフィット感良く把持することができ、又、掌は外側面１０にフィット感良く当接できるものである。尚、グリップ部６の断面形状を多角形にすることにより、グリップ部６は不用意に横方向へ回転することなく、安定感良く把持されるものである。
【００３０】
又、同図２に示すように、グリップ部６の内側面９には、ゴルフプレーヤやキャディの手Ｈの親指を除く四指を位置決めするための凹凸１６が形成されている。
【００３１】
前記グリップ部６の内側面９は、上端側１３から下端側１４へ向けて直線状、又は、なだらかな曲線状に伸びる面で形成されることにより、グリップ部６を手Hで把持した際に、手の親指を除く他の四指同士が隙間を開けることができるようにすることにより、当該四指同士の間に窮屈感を生じないようにしても良い。
【００３２】
図２に示すように、キャディバッグ用ハンドル１の外側面１０は、キャディバッグ用ハンドル１の上端側１３から下端側１４に亘って、なだらかなＳ字状に起伏して形成されることにより、グリップ部６を把持した際に、該グリップ部６の外側面１０が掌に馴染み易くなっている。又、該グリップ部６の外側面１０の下端側１４には、凸部１５が設けられている。該凸部１５には、ゴルフプレーヤやキャディがグリップ部６を把持した際に、ゴルフプレーヤやキャディの手Hの小指丘１７の側部が当接する当接面１５ａが設けられている。ここで、小指丘１７とは、手の小指のつけ根から手首にかけての部分である。図１，図２に示すように、前記当接面１５ａは、手の小指丘１７の側部が馴染み感良く密接できるように湾曲面で形成されている。前記凸部１５は、手の小指丘１７の側部が当接できるように、小指丘１７の側部の厚さの少なくとも半分以上の高さに突出することが好ましい。具体的には、前記凸部１５は、１．０cm以上であって、３．０cm以下の高さの範囲内の寸法に形成することが好ましいが、略１．５cmの高さの半球、円柱、又は円錐形に形成することが好ましい。
【００３３】
図２に示すように、前述の形状のグリップ部６は硬質の素材で形成され、且つ、グリップ部６の周囲を軟質の被覆材６ａで被覆するようにすれば、前記凸部１５は変形し難い上に、凸部１５が軟質の素材で覆われることにより、凸部１５が手の小指丘１７に馴染み易く当接できる。この場合、グリップ部６はＡＢＳ，ＰＣ，ＰＯＭ，ＰＡ，ＰＰ等の硬質樹脂等によって形成される。又、被覆材６ａは熱可塑性エラストマやラバーなどの、シェアＡ４５〜Ａ９０の素材によって形成することができる。該被覆材６ａの厚さは、２ｍｍから１０ｍｍの範囲内から選択されるが、４ｍｍから５ｍｍの範囲内から選択されることが好ましい。尚、図２中，一点鎖線で示すように、グリップ部６の中央に硬質の心材２１を設け、該心材２１の上下両端に取付部４，５を設けた構成にするこも可能である。この場合、心材２１はアルミニウム等の金属によって形成することができる。即ち、グリップ部６の中央に心材２１を設け、周囲が被覆材６ａで被覆された３層構造にすることができるものである。このように構成した場合、グリップ部６の強度を更に強めることができる。
【００３４】
次ぎに、図１に基づき、ゴルフプレーヤやキャディがグリップ部６を把持する際におけるゴルフプレーヤやキャディの手Ｈと、前記凸部１５との位置関係について説明する。図１は、キャディやプレーヤがグリップ部６を把持した状態を示している。同図１において、ゴルフプレーヤやキャディの手Ｈの指の内、親指がグリップ部６の外側面９に当接し、且つ、親指を除く四指がグリップ部６の内表面１０に当接している。そして、このような状態において、手の小指丘１７の側部または表面、即ち、小指のつけ根から手首にかけての部分の側部または表面が、前記凸部１５に当接する位置関係にある。つまり、グリップ部６の長さＬは掌の幅と略同じ長さであって、男性用のキャディバッグ用ハンドル１の場合、前記凸部１５は、実施例ではグリップ部６の上端側１３から略４３ｍｍ後方の上端側１３ａから略８０ｍｍ乃至１００ｍｍの範囲内で選択された位置に形成されるが、グリップ部６の上端側１３ａから略８７ｍｍの位置に形成されることが好ましい。又、女性用のキャディバッグ用ハンドル１の場合には、前記凸部１５は、実施例ではグリップ部６の上端側１３から略４３ｍｍ後方の上端側１３ａから略７０ｍｍ乃至９０ｍｍの範囲内で選択された位置に形成されるが、グリップ部６の上端側１３ａから略７９ｍｍの位置に形成されることが好ましい。
【００３５】
図１，図２，図５に示すように、前記凸部１５の後側の裾部１５ｂは、内側へ凹んだ凹部になっている。又、グリップ部６の後端側１４には、該グリップ部６の横側面１１，１１間を貫通するように窓部１８が設けられている。該窓部１８の側面形状は、グリップ部６の上端側１３から下端側１４へ向けて拡大するように略三角形をなしている。前記裾部１５ｂおよび窓部１８によって、グリップ部６は弾性を付与されることができるものである。即ち、図５に示すように、グリップ部６がゴルフプレーヤやキャディによって把持されて大きな荷重とともに把持力Ｆが作用した場合、同図５中、一点鎖線で示すように、前記裾部１５ｂが内側へ凹み、且つ、窓部１８の幅が狭まるように変形することにより、同図５中、一点鎖線で示すように、グリップ部６の外側面１０と内側面９とが互いに接近するように変形する一方、該グリップ部６の素材が有する弾性によってグリップ部６が外向きに復元しようとする反撥力によって、グリップ部６の外側面１０は、キャディやプレーヤ等の掌に密着するものである。
【００３６】
次ぎに、作用について説明する。本実施形態の効果について、従来技術と比較しながら説明する。先ず、従来技術においては、図６に示すように、キャディバッグＢが垂直に立てられた状態において、ゴルフプレーヤやキャディがキャディバッグ用ハンドル１００を把持する場合、従来では、図６に示すように、ゴルフプレーヤやキャディは腕の肘Ｘを曲げた状態でキャディバッグ用ハンドル１００を把持しなければならない。このため、ゴルフプレーヤやキャディは腕の肘Ｘに違和感を感じたり、腰をかがめる必要があった。
【００３７】
しかし、本実施形態においては、図１，図２に示すように、キャディバッグ用ハンドル１のグリップ部６の内側面９が、キャディバッグＢの外側面８に対して３０度を中心として前後１０度の範囲から選択される角度をなすように形成されている。このため、図８に示すように、垂直に立てて置かれたキャディバッグＢのキャディバッグ用ハンドル１を把持する際、ゴルフプレーヤやキャディは腕の肘Ｘを曲げたり、腰をかがめることなくキャディバッグ用ハンドル１を把持することができる。このため、ゴルフプレーヤやキャディは、肘に違和感を感じたり、腰に負担をかける虞が少ない。
【００３８】
又、図２５に示すように、垂直に立てて置かれた従来技術のキャディバッグＢのキャディバッグ用ハンドル１００を把持する際、ゴルフプレーヤやキャディは手首Ｙを大きく曲げながらキャディバッグ用ハンドル１００を把持しなければならない場合もあった。
【００３９】
しかし、本実施形態においては、図１，図２に示すように、キャディバッグ用ハンドル１のグリップ部６の内側面９がキャディバッッグＢの外側面８に対して３０度を中心として前後１０度の範囲内の角度を成すように形成されているため、図８に示すように、ゴルフプレーヤやキャディは腕の肘Xや手首Yを大きく曲げることなく、しかも、腰を曲げることなく、キャディバッグ用ハンドル１のグリップ部６を把持することができる。
【００４０】
更に、本実施形態においては、図１，図２に示すように、キャディバッグ用ハンドル１のグリップ部６の外側面１０がキャディバッッグＢの外側面８に対して３５度から８０度の範囲内の何れかの角度を成すように形成されているため、図８に示すように、ゴルフプレーヤやキャディは腕の肘Xや手首Yを大きく曲げることなく、しかも、腰を曲げることなく、キャディバッグ用ハンドル１のグリップ部６を把持することができる。
【００４１】
又、従来技術の場合、図６に示すように、垂直に立てられた状態のキャディバッグＢをゴルフプレーヤやキャディが把持して図７に示すように、水平に吊下げた状態においては、キャディバッグＢは垂直に立てられた状態から回転して略水平の状態にまで変動するため、キャディバッグＢは当該回転に伴った反動によって、キャディバッグＢの上下方向（矢示方向）の縦振れ、いわゆる、初動が生じる結果、ゴルフプレーヤやキャディがキャディバッグＢを吊下げた際に大きな力を受けて違和感を感じたり、内部のゴルフクラブＫが飛び出しそうになり易かった。
【００４２】
しかし、本実施形態においては、キャディバッグ用ハンドル１の内側面９がキャディバッグＢの外側面８に対して３０度を中心として前後１０度の範囲内のいずれかの角度を成すように形成されている。このため、図８に示すように垂直に立てられたキャディバッグＢを、ゴルフプレーヤやキャディが吊下げる際、図９に示すように、垂直に立てられた状態のキャディバッグＢは、略５０度乃至７０度の範囲だけ回転して吊下げられるため、ゴルフプレーヤやキャディがキャディバッグＢを吊下げる際に生じる初動は、従来技術のキャディバッグを吊下げる場合よりも少ない。
【００４３】
このため、本実施形態のキャディバッグＢを把持して吊下げたゴルフプレーヤやキャディには、キャディバッグ１の倒れるような姿勢の変動による大きな荷重を受けることがなく、ゴルフプレーヤやキャディは安定した姿勢でキャディバッグBを把持することができる。
【００４４】
更に、本実施形態においては、図９に示すように、ゴルフプレーヤやキャディがキャディバッグを吊下げた状態において、該キャディバッグに作用するモーメントについて以下の作用効果を奏することができるものである。本実施形態の特徴を明らかにするために、先ず、従来技術のキャディバッグＢに作用するモーメントについて説明する。図１０に示すように、従来技術のキャディバッグBは略水平の状態で吊下げられる。
【００４５】
このように、略水平に吊下げられたキャディバッグBにおいて、ゴルフプレーヤやキャディの手に作用するモーメントL１は以下の数１によって求められる。同数１中、Ｆはキャディバッグ用ハンドル１を中心とした回転力である。キャディバッグBにゴルフクラブを収容した状態においては、キャディバッグBの重心は、クラブヘッドの近傍にあって、該重心に作用する加重をＭｇとすると、回転力Ｆと荷重Ｍｇとは等しい。
【００４６】
（数１）
L１＝Ｆ×Ｒ＝Ｍｇ×Ｒ
但し、Ｒは、キャディバッグ用ハンドル１００から重心までの距離とする。
【００４７】
一方、本実施形態のキャディバッグBのキャディバッグ用ハンドル１のグリップ部６の内側面９は、図２に示すように、キャディバッグBの外側面８に対して約３０度を中心にして前後に１０度の範囲内のいずれかの角度θに設定されている。このため、図１１に示すように、ゴルフプレーヤやキャディがキャディバッグＢを把持して吊下げた場合、キャディバッグＢは地面に対して角度θを成す。この状態において、キャディバッグ用ハンドル１を中心とした回転力ＦはＭｇcosθである。従って、キャディバッグ用ハンドル１に作用するモーメントL２は以下の数２で求められる。
【００４８】
（数２）
L２＝F×Ｒ＝Ｍｇcosθ×R
そして、図１２を参酌すると、cosθはθ＝３０度を中心として前後１０度の範囲内で大きく変化するという特性がある。このため、本実施形態のキャディバッグ用ハンドル１に作用するモーメントL２は、従来技術のキャディバッグ用ハンドル１００に作用するモーメントＬ１に比較して、格別に小さく成るものである。本実施形態においては、このように、キャディバッグ用ハンドル１に作用するモーメントＬ２が小さくなることによって、図９に示すように、ゴルフプレーヤやキャディがキャディバッグ用ハンドル１を吊下げた際に、キャディバッグＢは縦振れを起こし難い。このため、ゴルフプレーヤやキャディは図８に示すように、立てて置かれたキャディバッグＢのキャディバッグ用ハンドル１を把持して吊下げた際にゴルフプレーヤやキャディは安定感良く、キャディバッグＢを吊下げできる。又、ゴルフプレーヤやキャディがキャディバッグＢを吊下げて歩行する際にも、ゴルフプレーヤやキャディはキャディバッグＢを吊下げて安定感良く歩行することができる。
【００４９】
一方、前記θを大きくすると、キャディバッグ用ハンドル１に作用するモーメントＬ２は小さくなるが、キャディバッグBが垂直に近づくように立ち上がるため、ゴルフプレーヤやキャディがキャディバッグ用ハンドル１を把持し難いという実情がある。
【００５０】
このため、前述のように、キャディバッグ用ハンドル１に作用するモーメントＬ２、及びキャディバッグＢの把持し易さを考慮した場合、キャディバッグＢと地面との成す角度θは、３０度の近傍に設定することが好ましい。
【００５１】
従って、本実施形態のように、キャディバッグ用ハンドル１のグリップ部６の内側面９と、キャディバッグＢの外側面１０との成す角度を３０度の近傍に設定することは、以上のように、キャディバッグＢの縦振れを抑制しつつキャディバッグＢを把持し易くすることを考慮した場合、格別の作用効果を奏するものである。
【００５２】
又、本実施形態においては、図１に示すように、グリップ部６の外側面１０の後端側１４には、凸部１５が形成されている。このため、図１に示すように、ゴルフプレーヤやキャディが手の小指丘１７で該凸部１５を下方へ押え付けることにより、キャディバッグBのクラブヘッド側を上げるようにして、キャディバッグＢの縦振れを効果的に易しく、且つ、自然に抑制させることができる。その結果、キャディバッグＢの初動を抑制できる上に、キャディバッグＢの運搬が容易となり、ゴルフプレーヤやキャディの姿勢が安定することができる。
【００５３】
更に、図１３に示すように、従来においては、ゴルフプレーヤやキャディがグリップ部１０２を把持する場合、親指と人指指によってグリップ部１０２を把持しているが、親指，及び人指指を除く他の三指と小指丘との間には隙間Ｓが生じる。この隙間Ｓが、いわゆる、グリップ部１０２の縦方向の振れに対する遊びとなるため、キャディバッグＢは一層、縦振れし易かった。このため、従来技術においては、縦振れを無くそうとする場合には、前記隙間Ｓが生じないように、手の小指丘と小指とでグリップ部１０２を強く握り締めなければならない。
【００５４】
しかし、本実施形態においては、図１，図２に示すように、グリップ部６は上端側１３から下端側１４へ進むにつれて拡大した形状であって、手の小指丘１７がグリップ部６に当接する形状であるため、従来技術のようには、グリップ部６を強く握り締めなくても、手の五指によってグリップ部６を自然に把持することができる。このように、本実施形態においては、図１３に示す従来技術のように隙間Ｓが生じないため、当該隙間Ｓの発生に伴った、キャディバッグＢの縦振れを抑制することができる。
【００５５】
又、従来技術においては、図７に示すように、ゴルフプレーヤやキャディがキャディバッグＢを手に吊下げて持った状態から、図６に示すように、該キャディバッグＢを垂直に立てて置く場合には、ゴルフプレーヤやキャディは、腕の肘Ｘを略直角に曲げながら、手の小指丘でキャディバッグ用ハンドル１００を前方に押さなければ、キャディバッグＢを垂直に立てた状態に置くことができない。このように、従来技術においては、キャディバッグＢを手で把持したまま、腕の肘Ｘや手首Yを大きく曲げることは肘Xや手首Y、又は腰に相当の負担をかけるものであった。
【００５６】
しかし、本実施形態においては、図９に示すように、ゴルフプレーヤやキャディがキャディバッグ用ハンドル１を手で把持してキャディバッグＢを吊下げた状態から、図８に示すように、キャディバッグＢを垂直に立てて置く場合、ゴルフプレーヤやキャディは、図１に示すように、手の小指丘１７で、キャディバッグ用ハンドル１の凸部１５を下方へ押圧することにより、図８に示すように、腕の肘Ｙや手首Ｙを大きく曲げることなく、又は、腰を曲げることなくキャディバッグＢを図８に示すように垂直に立てた状態で置くことができる。
【００５７】
ところで、図１４に示すように、仮に、グリップ部Ｇの内側面αが曲率半径の小さな湾曲面で形成された場合には、ゴルフプレーヤやキャディがグリップ部Ｇを把持してキャディバッグを吊下げた際に、ゴルフプレーヤやキャディの親指を除く他の四指には、中指Nに向けて集まる方向の力Ｆ１が作用するため、四指には窮屈な感じが生じる。又、このように、グリップ部Ｇの内側面αを曲率半径の小さな湾曲面で形成した場合には、ゴルフプレーヤやキャディがグリップ部Ｇを把持してキャディバッグを吊下げた際に、該キャディバッグの荷重は、中指Ｎに中心に加わるため、ゴルフプレーヤやキャディがキャディバッグを長時間、把持し続けることにより、中指Ｎに痛みを覚える場合がある。
【００５８】
しかし、本実施形態においては、図１，図２に示すように、グリップ部６の内側面９をなだらかな湾曲面、又は、平坦面で形成した場合には、ゴルフプレーヤやキャディは、親指を除く他の四指は互いに間隔を空けた状態で、グリップ部６を把持してキャディバッグＢを吊下げることができる。このため、親指を除く他の四指には、図１４に示す従来技術のように、中指Ｎに向けて集まる方向の力Ｆ１は作用しない。従って、親指を除く他の四指には、窮屈感は生じない。このため、ゴルフプレーヤやキャディは、キャディバッグＢを長時間、吊下げる場合であっても、耐え得ることができる。又、本実施形態のキャディバッグ用ハンドル１のグリップ部６の内側面９は、平坦面、又は、なだらかな湾曲面で形成されているため、グリップ部６を把持した場合、キャディバッグＢの荷重は、親指を除く他の四指に略均等に加わることができるため、従来技術のように、中指のみに痛みを感じる虞が少ない。
【００５９】
図１５，図１６は、第二実施形態を示す。第二実施形態の特徴は、キャディバッグ用ハンドル５１の一部をキャディバッグＢ内に収容可能にした状態を示す構成図である。図１５は、キャディバッグ用ハンドル５１の使用状態を示し、図１６は、キャディバッグ用ハンドル５１の一部をキャディバッグＢ内に収容した状態を示す。
【００６０】
この第二実施形態においては、キャディバッグ用ハンドル５１の一端側は、取付部５２になって、該取付部５２は、キャディバッグＢの外側面８に固着された取付部材５３に回転軸５４によって回転自在に取付けられている。又、該キャディバッグ用ハンドル５１の他端側は出没部５５になって、案内筒５６内に出没可能になっている。該案内筒５６はキャディバッグＢ内に収容されて設けられ，且つ、該キャディバッグＢの外側面に開口している。
【００６１】
前記案内筒５６の開口縁には、該案内筒５６の軸方向に沿って互いに間隔を隔てて第一，第二係合片５７，５８が設けられている。該第一，第二係合片５７，５８は、案内筒５６の周縁から案内筒５６の中心に向けて突出し、且つ、中心には挿通孔５９が形成されることにより、該第一，第二係合片５７，５８はリング状に形成されている。これら第一，第二係合片５７，５８の間は、係合溝６０になっている。前記第一係合片５７の部位における前記挿通孔５９の径は、前記第二係合片５８の部位における前記挿通孔５９の径よりも小径になっている。又、案内筒５６の縁部には、第三係合片６１が回転可能に設けられている。該第三係合片６１は、その基端側がビス等によって前記案内筒５６の縁部に回転可能に取り付けられると共に、該第三係合片６１の先端側は、バネ部材（図示せず）のバネ力によって、前記案内筒５６の開口側ヘ向けて付勢されている。
【００６２】
前記キャディバッグ用ハンドル５１の出没部５５の太さは、前記第一，第二係合片５７，５８の挿通孔５９を挿通できる太さである。又、キャディバッグ用ハンドル５１の出没部５５の先端部には、外方へ向けて拡径する係合受部６２が設けられている。該係合受部６２の厚さは、前記係合溝６０の溝幅と略同様であって、該係合受部６２が係合溝６０に係合可能になっている。又、前記出没部５５の基端側には、ストッパ部６３が設けられている。該ストッパ部６３は前記通孔５９を挿通できない太さである。該ストッパ部６３の近傍には、係合孔６４が形成されている。
【００６３】
図１５に示すように、キャディバッグ用ハンドル５１が外方へ突出して、該キャディバッグ用ハンドル５１の係合受部６２が、案内筒５６の係合溝５９に係合した状態が、キャディバッグ用ハンドル５１の使用状態である。この使用状態においては、第三係合片６１は出没部５５の側面に触れている。当該使用状態においては、ゴルフプレーヤやキャディは、キャディバッグ用ハンドル５１を把持することができる。
【００６４】
次ぎに、キャディバッグ用ハンドル５１をキャディバッグＢ内に収容する場合には、キャディバッグ用ハンドル５１の出没部５５を下方へ強く押圧すると、該出没部５５の先端の係合受部６２が、案内筒５６の第二係合片５８を下方へ押し曲げるようにして係合溝５９から脱出することにより、図１６に示すように、出没部５５が、案内筒５６内に収容される。この際、第三係合片６１は、キャディバッグ用ハンドル５１に設けられた係合孔６４に係合している。この状態が収容状態である。この収容状態においては、同図１６に示すように、キャディバッグ用ハンドル５１の外方への突出量が、図１２に示す状態よりも少ない。このため、図１６に示す状態のキャディバッグは、狭いスペース内に収容することができる。
【００６５】
図１７乃至図２２は第三実施形態を示す。この第三実施形態の特徴は、図１７に示すキャディバッグ用ハンドル８１が矢示方向へ横倒しにされて、図２０に示すように折畳み可能に構成された点にある。図１７は、キャディバッグ用ハンドル８１の使用状態であって、キャディバッグ用ハンドル８１を真上から観た状態の図である。図２０はキャディバッグ用ハンドル８１を横倒しにして折畳んだ状態であって、折畳んだ状態のキャディバッグ用ハンドル８１を真上から観た状態の図である。図１８は、図１７のＡ―Ａ線矢示方向断面図である。図１９は、図１７のＢ―Ｂ線矢示方向断面図である。図２１は、図２０のＣ―Ｃ線矢示方向断面図である。図２２は、図２０のＤ―Ｄ線矢示方向断面図である。
【００６６】
キャディバッグ用ハンドル８１は軸８２によってキャディバッグに横倒し可能に取り付けられている。
【００６７】
該キャディバッグ用ハンドル８１の一端側には第一係合部８３が設けられると共に、キャディバッグには該第一係合部８３が係合する第一係合受部８４が設けられている。又、該キャディバッグ用ハンドル８１の他端側には第二係合部８５が設けられると共に、キャディバッグには該第二係合部８５が係合する第二係合受部８６が設けられている。
【００６８】
前記第一係合部８３は、図１８，図２１に示すように、キャディバッグ用ハンドル８１の側面から突出した突起によって構成される。又、前記第一係合受部８４は、キャディバッグの表面に設けられているトグルクランプのような二つの安定な保持位置を有する保持装置によって構成される。該トグルクランプは、クランプ片８７と、巻きバネ（図示せず）とを備えている。クランプ片８７は、一端がレバー部になり、他端には凹部８８が形成されている。そして、該トグルクランプ片８７は、巻きバネによってトグル的に作動して、図１８に示す状態と、図２１に示す状態との二つの位置に保持されるようになっている。図２１に示す状態においては、凹部８８は上を向くように開口し、図１５に示す状態においては、凹部８８は下を向くように開口して、第一係合部８３が係合している。
【００６９】
図２２に示すように、前記第二係合部８５はキャディバッグ用ハンドル８１が横倒しにされて折畳まれた場合に下位になる側面に形成された突起によって構成される。又、前記第二係合受部８６は、該キャディバッグ用ハンドル８１が折畳まれた場合に該第一係合部８５が係合するようにキャディバッグに設けられた係合孔によって構成される。
【００７０】
このように構成された第三実施形態において、キャディバッグ用ハンドル８１の使用時においては、図１７に示すように、該キャディバッグ用ハンドル８１は起立し、図１８に示すように、第一係合部８３は第一係合受部８４に係合している。第一係合部８３が第一係合受部８４に係合することにより、キャディバッグ用ハンドル８１は起立したままの姿勢に保持される。
次ぎに、キャディバッグ用ハンドル８１を横倒しにして折畳む場合には、図１８において、第一係合受部８７のレバー部を下方へ押し下げると、図２１に示すように、該第一係合受部８４の凹部８８が上を向いた姿勢になる。この状態において、キャディバッグ用ハンドル８１を横方向へ押し倒すと、第一係合部８３と第一係合受部８４との係合が解除されて、図２０に示すように、キャディバッグ用ハンドル８１は横倒しになる。この横倒しの状態においては、図２２に示すように、キャディバッグ用ハンドル８１の第二係合部８５がキャディバッグの第二係合受部８６に係合することにより、キャディバッグ用ハンドル８１が横倒しになった状態が保持される。このように、キャディバッグ用ハンドル８１が横倒しになることにより、キャディバッグは狭いスペース内に収容されることができる。
【図面の簡単な説明】
【００７１】
【図１】キャディバッグ用ハンドルを手で把持した状態の側面図である。（第一実施形態）
【図２】キャディバッグ用ハンドルの縦断面図である。（第一実施形態）
【図３】図２のP―P線断面図である。（第一実施形態）
【図４】図２のQ―Q線断面図である。（第一実施形態）
【図５】グリップ部が変形する状態を示すキャディバッグ用ハンドルの側面図である。（第一実施形態）
【図６】作用を説明するキャディバッグ用ハンドルの側面図である。
【図７】作用を説明するキャディバッグ用ハンドルの側面図である。
【図８】作用を説明するキャディバッグ用ハンドルの側面図である。
【図９】作用を説明するキャディバッグ用ハンドルの側面図である。
【図１０】キャディバッグ用ハンドルに作用するモーメントを説明する図である。
【図１１】キャディバッグ用ハンドルに作用するモーメントを説明する図である。
【図１２】角度θとSinθとの関係を示す図表である。
【図１３】従来技術のグリップ部を手で把持した状態の図である。
【図１４】作用を説明するキャディバッグ用ハンドルの側面図である。
【図１５】キャディバッグ用ハンドルの使用状態を示すキャディバッグ用ハンドルの側面図である。（第二実施形態）
【図１６】キャディバッグ用ハンドルの収容状態を示すキャディバッグ用ハンドルの側面図である。（第二実施形態）
【図１７】使用状態のキャディバッグ用ハンドルを真上から観た状態の図である。（第三実施形態）
【図１８】図１４のＡ―Ａ線断面図である。（第三実施形態）
【図１９】図１４のＢ―Ｂ線断面図である。（第三実施形態）
【図２０】キャディバッグ用ハンドルを横倒しにしてキャディバッグ用ハンドルを真上から観た状態の図である。（第三実施形態）
【図２１】図１７のＣ―Ｃ線断面図である。（第三実施形態）
【図２２】図１７のＤ―Ｄ線断面図である。（第三実施形態）
【図２３】キャディバッグ用ハンドルの斜視図である。（従来技術）
【図２４】作用を説明する図である。（従来技術）
【図２５】作用を説明する図である。（従来技術）
【図２６】作用を説明する図である。（従来技術）
【符号の説明】
【００７２】
１  キャディバッグ用ハンドル
４  取付部
５  取付部
６  グリップ部
９  内側面
１０  外側面
１５  凸部
１５ａ  当接面
１５ｂ  裾部
１６  凹凸
１８  窓部
【図１】
2006230562.tif 000003
【図２】
2006230562.tif 000004
【図３】
2006230562.tif 000005
【図４】
2006230562.tif 000006
【図５】
2006230562.tif 000007
【図６】
2006230562.tif 000008
【図７】
2006230562.tif 000009
【図８】
2006230562.tif 000010
【図９】
2006230562.tif 000011
【図１０】
2006230562.tif 000012
【図１１】
2006230562.tif 000013
【図１２】
2006230562.tif 000014
【図１３】
2006230562.tif 000015
【図１４】
2006230562.tif 000016
【図１５】
2006230562.tif 000017
【図１６】
2006230562.tif 000018
【図１７】
2006230562.tif 000019
【図１８】
2006230562.tif 000020
【図１９】
2006230562.tif 000021
【図２０】
2006230562.tif 000022
【図２１】
2006230562.tif 000023
【図２２】
2006230562.tif 000024
【図２３】
2006230562.tif 000025
【図２４】
2006230562.tif 000026
【図２５】
2006230562.tif 000027
【図２６】
2006230562.tif 000028